(57)【要約】【課題】生産性が良く、安価であると共に、面実装部品の回路基板への保持の強硬な電子回路ユニットを提供する。【解決手段】本発明の電子回路ユニットは、ランド部２を有する回路基板１と、下面に設けられた電極４がランド部２に半田付けされた面実装部品３とを備え、面実装部品３の外側面と回路基板１の表面は、互いに間隔を持って配設された複数の接着剤６によって接着されたため、接着剤６の間においては、面実装部品３の下面と回路基板１との間の隙間が開放状態となっており、このため、半田フラックスが膨張（気化）しても、この開放状態の隙間から逃がすことができ、従って、半田フラックスを除去するための洗浄作業が不要となって、生産性が良く、安価なものが得られる。【選択図】        図２
2004311898.tif 000002
【特許請求の範囲】
【請求項１】
ランド部を有する回路基板と、下面に設けられた電極が前記ランド部に半田付けされた面実装部品とを備え、前記面実装部品の外側面と前記回路基板の表面は、互いに間隔を持って配設された複数の接着剤によって接着されたことを特徴とする電子回路ユニット。
【請求項２】
前記接着剤は、前記面実装部品の対向する一対の第１，第２の側面側に配設されたことを特徴とする請求項１記載の電子回路ユニット。
【請求項３】
前記接着剤は、前記第１，第２の側面に隣り合う一対の第３，第４の側面側に跨って設けられたことを特徴とする請求項２記載の電子回路ユニット。
【請求項４】
前記接着剤は、硬化性の樹脂で構成されたことを特徴とする請求項１から３の何れかに記載の電子回路ユニット。
【請求項５】
前記面実装部品が半導体チップで構成されたことを特徴とする請求項１から４の何れかに記載の電子回路ユニット。
【発明の詳細な説明】
【０００１】
【発明の属する技術分野】
本発明は近距離無線装置や携帯電話機等に使用して好適な電子回路ユニットに関する。
【０００２】
【従来の技術】
従来の電子回路ユニットの構成を図３に基づいて説明すると、プリント基板からなる回路基板５１の表面には、配線パターンの一部を構成する複数個のランド部５２が設けられている。
【０００３】
半導体チップからなる面実装部品５３は、その下面に複数個の電極５４が設けられており、この電極５４は、ランド部５２に塗布されたクリーム半田（図示せず）上に載置され、リフロー装置（図示せず）によって、ランド部５２に半田５５付けされて取り付けられると共に、回路基板５１上には、種々の電子部品（図示せず）が搭載されて、所望の電気回路が形成されている。
【０００４】
また、ランド部５２と電極５４が半田５５付けされた後、半田フラックスを除去するため、回路基板５１と面実装部品５３の洗浄作業を行い、しかる後、軟らかい樹脂からなるアンダーフィル５６が面実装部品５３の全下面と回路基板５１の表面との間に隙間無く充填された構成となっている。（例えば、特許文献１参照）
【０００５】
このような構成を有する従来の電子回路ユニットは、軟らかい樹脂（粘度が１４０００ｐａ・ｓ程度）からなるアンダーフィル５６が面実装部品５３の全下面と回路基板５１の表面との間に隙間無く設けられることによって、振動や衝撃等による面実装部品５３の剥がれを防止している。
【０００６】
しかしながら、アンダーフィル５６が面実装部品５３の全下面に設けられた場合、半田フラックスが存在すると、半田フラックスが膨張（気化）すると共に、この半田フラックスの逃げが無く、これよって半田５５の剥がれが生じる。
また、アンダーフィル５６が軟らかいため、面実装部品５３の回路基板５１への保持が弱いものであった。
【０００７】
【特許文献１】
特開２００１−１１０８２５号公報
【０００８】
【発明が解決しようとする課題】
従来の電子回路ユニットは、アンダーフィル５６が面実装部品５３の全下面に設けられているため、半田フラックスの洗浄作業を必要とし、生産性が悪く、コスト高になるという問題がある。
また、アンダーフィル５６が軟らかいため、面実装部品５３の回路基板５１への保持が弱いという問題がある。
【０００９】
そこで、本発明は生産性が良く、安価であると共に、面実装部品の回路基板への保持の強硬な電子回路ユニットを提供することを目的とする。
【００１０】
【課題を解決するための手段】
上記課題を解決するための第１の解決手段として、ランド部を有する回路基板と、下面に設けられた電極が前記ランド部に半田付けされた面実装部品とを備え、前記面実装部品の外側面と前記回路基板の表面は、互いに間隔を持って配設された複数の接着剤によって接着された構成とした。
【００１１】
また、第２の解決手段として、前記接着剤は、前記面実装部品の対向する一対の第１，第２の側面側に配設された構成とした。
また、第３の解決手段として、前記接着剤は、前記第１，第２の側面に隣り合う一対の第３，第４の側面側に跨って設けられた構成とした。
【００１２】
また、第４の解決手段として、前記接着剤は、硬化性の樹脂で構成された。
また、第５の解決手段として、前記面実装部品が半導体チップで構成された。
【００１３】
【発明の実施の形態】
本発明の電子回路ユニットの図面を説明すると、図１は本発明の電子回路ユニットの平面図、図２は本発明の電子回路ユニットの要部の断面図である。
【００１４】
次に、本発明の電子回路ユニットの構成を図１，図２に基づいて説明すると、プリント基板からなる回路基板１の表面には、配線パターンの一部を構成する複数個のランド部２が設けられている。
【００１５】
半導体チップ等からなる面実装部品３は、その下面に複数個の電極４が設けられており、この電極４は、ランド部２に塗布されたクリーム半田（図示せず）上に載置され、リフロー装置（図示せず）によって、ランド部２に半田５付けされて取り付けられると共に、回路基板１上には、種々の電子部品（図示せず）が搭載されて、所望の電気回路が形成されている。
【００１６】
エポキシ系等の絶縁性の硬化樹脂からなる接着剤６は、互いに間隔を持って複数が配設され、この複数の接着剤６によって、面実装部品３の側面と回路基板１の表面とが接着されて、面実装部品３が回路基板１に強固に保持されている。
【００１７】
そして、この接着剤６は、例えば、粘度が５〜１１ｐａ・ｓ程度と低い熱硬化性の樹脂が互いに間隔を持って複数箇所にわたって塗布され、しかる後、この樹脂を加熱して硬化させて、硬い接着剤６が形成されている。
従って、この硬い接着剤６によって、面実装部品３の回路基板１への保持が強固となる。
【００１８】
また、二つの接着剤６は、面実装部品３の対向する一対の第１，第２の側面３ａ、３ｂと、この第１，第２の側面３ａ、３ｂに隣り合う一対の第３，第４の側面３ｃ、３ｃに跨って配置されている。
【００１９】
この時、二つの接着剤６は、互いに間隔を持って配設されているため、接着剤６間では、面実装部品３の下面と回路基板１との間の隙間が開放状態となっており、このため、半田フラックスが膨張（気化）しても、この開放状態の隙間から逃がすことができる。
従って、半田フラックスを除去するための洗浄作業が不要となって、生産性が良く、安価なものが得られる。
【００２０】
なお、この実施例では、二つの接着剤６が面実装部品３の第１〜第４の側面３ａ〜３ｄに跨って設けたもので説明したが、接着剤６は、少なくとも対向する二つの側面３ａ、３ｂ、又は３ｃ、３ｄに設けたものでも良い。
また、接着剤６は、３カ所以上設けても良い。
また、硬い接着剤６を使用するもので説明したが、軟らかい接着剤６でも良く、この場合、半田フラックスを除去するための洗浄作業を削除できる。
【００２１】
【発明の効果】
本発明の電子回路ユニットは、ランド部を有する回路基板と、下面に設けられた電極がランド部に半田付けされた面実装部品とを備え、面実装部品の外側面と回路基板の表面は、互いに間隔を持って配設された複数の接着剤によって接着されたため、接着剤の間においては、面実装部品の下面と回路基板との間の隙間が開放状態となっており、このため、半田フラックスが膨張（気化）しても、この開放状態の隙間から逃がすことができ、従って、半田フラックスを除去するための洗浄作業が不要となって、生産性が良く、安価なものが得られる。
【００２２】
また、接着剤は、面実装部品の対向する一対の第１，第２の側面側に配設されたため、その接着剤の塗布作業が簡単で、生産性の良好なものが得られる。
【００２３】
また、接着剤は、第１，第２の側面に隣り合う一対の第３，第４の側面側に跨って設けられたため、面実装部品の回路基板への保持の良好なものが得られる。
【００２４】
また、接着剤は、硬化性の樹脂で構成されたため、この硬い接着剤によって、面実装部品の回路基板への保持が強固となり、半田の剥がれの無いものが得られる。
【００２５】
また、面実装部品が半導体チップで構成されたため、下面の面積が比較的広く、また、電極の多い半導体チップに適用して好適である。
【図面の簡単な説明】
【図１】本発明の電子回路ユニットの平面図。
【図２】本発明の電子回路ユニットの要部の断面図。
【図３】従来の電子回路ユニットの要部の断面図。
【符号の説明】
１  回路基板
２  ランド部
３  面実装部品
３ａ  第１の側面
３ｂ  第２の側面
３ｃ  第３の側面
３ｄ  第４の側面
４  電極
５  半田
６  接着剤
【図１】
2004311898.tif 000003
【図２】
2004311898.tif 000004
【図３】
2004311898.tif 000005